(57)【要約】      （修正有）【課題】従来にない意匠性を有し、迅速に製作できるビーズ編み装身具を提供する。【解決手段】第１のグループの有孔ビーズ１０２ａ〜ｄ、１０４ａ〜ｄと、第２のグループの有孔ビーズ１０３ａ〜ｄと、１本の糸１０１とを含むビーズ編み部を含む装身具であって、糸が第１のグループの有孔ビーズの複数を環状に連結した後に第２のグループに属する有孔ビーズの複数を環状に連結し、第１のグループの有孔ビーズから構成される部分の一部と、第２のグループの有孔ビーズから構成される部分の一部が重なり合わさっている。【選択図】図１
0003222338.tif 000002
【実用新案登録請求の範囲】
【請求項１】
第１のグループの有孔ビーズと、第２のグループの有孔ビーズと、１本の糸とを含むビーズ編み構造を含む装身具であって、
前記糸が第１のグループの有孔ビーズの複数を環状に連結した後に第２のグループに属する有孔ビーズの複数を環状に連結し、
前記第１のグループの有孔ビーズから構成される部分の一部と、前記第２のグループの有孔ビーズから構成される部分の一部が重なり合わさっている装身具。
【請求項２】
第１のグループの有孔ビーズと、第２のグループの有孔ビーズと、１本の糸とを含むビーズ編み構造を含む装身具であって、
前記糸が、
前記第１のグループ内の第１のサブグループに属する複数の有孔ビーズの孔を通り該複数のビーズを環状に連結し、
前記第２のグループ内の第１のサブグループに属する複数の有孔ビーズの孔を通り該複数のビーズを環状に連結し、
前記第１のグループ内の前記第１のサブグループに属する複数の有孔ビーズのうちの２つのビーズの間にある糸と交差した後、
前記第１のグループ内の第２のサブグループに属する複数の有孔ビーズの孔を通り該複数のビーズを環状に連結する装身具。
【請求項３】
さらに、１つ以上の中間ビーズを含み、前記糸が、異なるサブグループに移るときに前記中間ビーズの孔を通る、請求項１または請求項２に記載の装身具。
【考案の詳細な説明】
【技術分野】
【０００１】
本考案は、ビーズ編み技法により作成される、ネックレス等の装身具及び装身具の部分に関する。
【背景技術】
【０００２】
一般に、孔の空いたビーズ（有孔ビーズ）にナイロン製等の糸を通すことで組み合わせ、ネックレスなどの装身具またはその部分を作成するビーズ編みと呼ばれる技法が知られている。この技法のひとつとして４個程度の穴の空いたビーズに糸を通して環状にまとめたものを一要素として、その要素を複数つなぎ合わせることで様々な形状の装身具を作成するものがある。しかし、この従来技法では、つなぎあわされたビーズ群はほぼ平面を為すため、装身具の形状は平面的なもの（ブローチ等）、あるいは、細長い平面の両端をつなぎ合わせたチューブ状またはロープ状のものに限定されることになり、意匠のバリエーションに限界があった。特に、ネックレスまたはその一部に使用するのに適する細長い形状であって、かつ、厚みのある形状の装身具を実現することは困難であった。
【考案の概要】
【考案が解決しようとする課題】
【０００３】
意匠性が高く、迅速に製作できるビーズ編み装身具、および、その一部分を提供する。
【課題を解決するための手段】
【０００４】
本願考案は、第１のグループの有孔ビーズと、第２のグループの有孔ビーズと、１本の糸とを含むビーズ編み構造を含む装身具であって、前記糸が第１のグループの有孔ビーズの複数を環状に連結した後に第２のグループに属する有孔ビーズの複数を環状に連結し、前記第１のグループの有孔ビーズから構成される部分の一部と、前記第２のグループの有孔ビーズから構成される部分の一部が重なり合わさっている装身具を提供することで上記課題を解決する。
【０００５】
また、本願考案は、第１のグループの有孔ビーズと、第２のグループの有孔ビーズと、１本の糸とを含むビーズ編み構造を含む装身具であって、前記糸が、前記第１のグループ内の第１のサブグループに属する複数の有孔ビーズの孔を通り該複数のビーズを環状に連結し、前記第２のグループ内の第１のサブグループに属する複数の有孔ビーズの孔を通り該複数のビーズを環状に連結し、前記第１のグループ内の前記第１のサブグループに属する複数の有孔ビーズのうちの２つのビーズの間にある糸と交差した後、前記第１のグループ内の第２のサブグループに属する複数の有孔ビーズの孔を通り該複数のビーズを環状に連結する装身具を提供することで上記課題を解決する。
【０００６】
また、本願考案は、さらに、１つ以上の中間ビーズを含み、前記糸が、異なるサブグループに移るときに前記中間ビーズを通る、段落０００４または段落０００５に記載の装身具を提供することで上記課題を解決する。
【考案の効果】
【０００７】
意匠性が高く、迅速に製作できるビーズ編み装身具、および、その一部分が提供される。
【図面の簡単な説明】
【０００８】
【図１】本願考案に係る装身具の構造を表わす図である。
【図２】図１のA部分周辺の拡大図である。
【図３】本願考案に係る装身具の一部分の斜視図である。
【図４】本願考案に係る装身具の編み方を説明する図である。
【図５】従来のビーズ編み技法による装身具の構造を表わす図である（参考図）。
【図６】従来のビーズ編み技法による装身具の一部分の斜視図である（参考図）。
【考案を実施するための形態】
【０００９】
図１に本願考案に係る装身具の構造の例を示す。本願考案に係る装身具は、小型の有孔ビーズ（好ましくは直径１ミリメートルから６ミリメートル）を、ナイロン製等の糸（101）により組み合わせた、細長い形状の装身具（典型的にはネックレス、または、ブレスレット）、または、その一部分である。ビーズは球状であっても、その他の形状であってもよい。図１では、装身具の構造を明確にするために、糸（101）が緩まった状態で記載されているが、実際の装身具では、１本の糸（101）により複数のビーズが緊密に結び付けられる。
【００１０】
本願考案に係る装身具におけるビーズは、数個（典型的には４個）単位で糸（101）によって環状に構成され、それがひとつの単位として組み合わされることで、任意のサイズの装身具が作成できる。
【００１１】
図１の例では、ビーズが４個単位でまとめられ、段（本願明細書ではサブグループと呼ぶ）を構成する。また、複数の段が列（本願明細書ではグループと呼ぶ）を構成する。列の数は任意であるが、典型的には２列であり、本願明細書でも２列の例を示す。
【００１２】
糸（101）は、第１のグループの第１のサブグループのビーズ（102a、102b、102c、102d）の穴を通ってこれらのビーズ環状に連結し、その後、第２のグループの第２のサブグループのビーズ（103a、103b、103c、103d）を同様にして環状に連結する。
【００１３】
第２のグループの第１のサブグループのビーズ（103a、103b、103c、103d）を環状に連結した糸（101）は、第1のグループの第１のサブグループのビーズ（102a、102b、102c、102d）の孔を通ることなく、第１のグループの第１のサブグループに属する２つのビーズ（この例では102bと102c）の間の糸を交差し（「糸をすくう」）、第１のグループの第２のサブグループのビーズ（104a、104b、104c、104d）を連結する（途中まで図示）。
【００１４】
同様の構造により、一本の糸（101）が、第２のグループの第２のサブグループのビーズ（図示していない）、第１のグループの第３のサブグループのビーズ（図示していない）と連続的に連結していくことで、本願考案に係る装身具またはその一部が構成される。
【００１５】
糸（101）が別のサブグループに移る時に、ビーズの位置を安定させ、糸の弛みを防ぐために中間ビーズ（306）を通すようにしてもよい。中間ビーズ（306）のサイズと形状は任意であってよい。図１では一箇所に１つの中間ビーズ（306）しか使用していないが、一箇所で複数の中間ビーズ（306）を使用してもよい。
【００１６】
図２に、明確化のために、図１のＡ部分周辺の拡大図を示す。前述のとおり、糸（101）はビーズの孔を通ることなく、２つのビーズ（この例では、102bと102c）の間の糸を交差して第１のグループの第１のサブグループのビーズ（102a、102b、102c、102d）を離れ、第１のグループの第２のサブグループのビーズ（104a、104b、104c、104d）の孔に通される。
【００１７】
ここで、各グループのビーズは同一の形状である必要はなく、たとえば、第１のグループのビーズが球形、第2のグループのビーズが俵型であってもよい。また、同一グループ、あるいは、同一のサブグループに属する複数のビーズも同一の形状である必要はなく、意匠性のバリエーションを高めるために任意の形状のビーズを使用してよい。
【００１８】
本願明細書の例では、４個のビーズを段（サブグループ）にした例を示したが、たとえば、３個、６個等、４個以外の数のビーズをサブグループとしてもよい。また、ひとつの装身具の中のサブグループに属するビーズの数が可変であってもよい。
【００１９】
本願明細書の例では、２列（グループ）の構成を示したが、たとえば、３列以上の構成であってもよい。
【００２０】
図３に本願考案に係る装身具の一部の斜視図を示す。図に示されるように、本願考案に係る装身具では、第１のグループのビーズ（301）により構成される平面と、第２のグループのビーズ（302）により構成される平面とが一部重なり合い、厚みを出す構造となっている。従来の構造では厚みを出すためにはビーズにより構成される平面の端と端をつなぎあわせてチューブ状にする、複数の細長い平面状に組み合わされたビーズを別の糸で接続する、あるいは、特殊な形状のビーズを使うしかなかったが、本願考案に係る装身具では、そのような手段なしに厚みのある装身具またはその部分を迅速に作成可能である。
【００２１】
図４に、本願考案に係る装身具をビーズ編みにより作成する方法の例を示す。典型的には、ビーズ編みは糸を針に通して手作業で作成されるが、ビーズを４個単位で組み合わせ、編み地を回転させていくことで迅速に編み進めることができる。
【００２２】
図５に参考図として従来の技法によるビーズ編み装身具の構造を示す。第２のグループの第１のサブグループのビーズ（103a、103b、103c、103d）を環状に連結した糸（101）は、第１のグループの第１のサブグループに属するビーズ（この例では、102b）の孔を通り、第１のグループの第２のサブグループのビーズ（104a、104b、104c、104d）を連結する（途中まで図示）。
【００２３】
図６に参考図として、従来のビーズ編み技法による装身具の一部の斜視図を示す。第１のグループに属するビーズ（601）と第２のグループに属するビーズ（602）はほぼ同一平面状に存在するため、この従来技法では本願考案に係る装身具が提供する厚みのある構造は得られない。
【００２４】
（本願考案の顕著な技術的効果）
本願考案に係るビーズ編み装身具は以下の効果を提供する。第一に、フラット型、ロープ型、チューブ型といった従来のビーズ編みに限定されない独自の意匠性を提供できる。第二に、複数個（典型的には４個）のビーズを単位とするため早く編み進めることができる。第三にグループの数を増やすことでより厚みのある装身具を作成できる。第四にサブグループに属するビーズの個数を変化させることで多様な意匠を実現できる。
【図１】
0003222338.tif 000003
【図２】
0003222338.tif 000004
【図３】
0003222338.tif 000005
【図４】
0003222338.tif 000006
【図５】
0003222338.tif 000007
【図６】
0003222338.tif 000008